(57)【特許請求の範囲】
【請求項１】
缶胴の開口端に巻き締め固着されるフランジ部を外周部に備えた缶蓋であって、その軸線方向にこのフランジ部よりも外方へ突出した環状の突出部が形成されると共に、この突出部に、両端部が離隔した曲線状を成し、かつ押圧力によって破断する易破断線で区画されたほぼ円形の開口片が設けられた缶蓋を、前記フランジ部により前記缶胴の開口端に巻き締め固着し、更に前記突出部に対して開口仮封止栓が前記開口片ならびに突出部の先端外周縁を覆った状態で冠着された開口仮封止栓付缶において、
前記突出部における先端面の周縁部が所定の幅に亘って平坦面に形成されると共に、その平坦面を成す周縁部の内周側に、前記突出部の突出方向とは反対方向に凹となる窪み部が形成され、更にその窪み部の内周側に、窪み部から連続した壁面を少なくとも三重に折り畳んでなる折り畳部が形成されると共に、その折り畳部における複数層のうち前記突出部の先端面から最も離れた層に前記易破断線が設けられ、また前記折り畳部の内周側で、かつ前記周縁部の面の高さよりも低い位置に前記開口片が設けられ、更に前記突出部の外周部に、傾斜した姿勢で円周方向に延び、かつ突出部における半径方向での突出量が両端部を除いてほぼ一定に設定された係合突起部が、円周方向で所定の間隔をあけて複数形成されると共に、
前記開口仮封止栓には、前記各係合突起部を覆う状態で前記突出部に対して嵌合可能な第一円筒部と、この第一円筒部の内周面に形成され、かつ前記係合突起部に対して係合可能な第一仮止め突起部と、第一円筒部とは軸線方向での反対側に突出し、かつ前記各係合突起部を覆う状態で前記突出部に対して嵌合可能な第二円筒部と、この第二円筒部の内周面に、円周方向で所定の間隔をあけて複数設けられると共に、前記係合突起部の傾斜に対応して傾斜し、かつ係合突起部に対して係合可能な第二仮止め突起部と、第二円筒部の内周側において第二円筒部と軸線方向での同一方向に第二円筒部よりも突出し、かつ前記開口片を押圧して前記易破断線を破断させる開口嵌合凸部と、その開口嵌合凸部と前記第二円筒部との間に設けられると共に、開口嵌合凸部よりも小さくかつ第二円筒部よりも大きく突出し、外周面が先端部に向けて縮径するテーパの付けられた円筒状をなし、その基端部の外径が前記易破断線を破断させた後に形成される開口部の内径より大きく設定されており、前記第二仮止め突起部を前記係合突起部に係合させた状態で、前記開口部の内周縁に沿って密着し、かつ前記開口片を押し下げた状態に保持する弾性変形可能な厚さの環状突出部とが備えられていることを特徴とする開口仮封止栓付缶。
【請求項２】
前記開口片には、前記易破断線と隣接し、かつ前記突出部と軸線方向で同一方向に突出したほぼ環状の環状凸部と、その環状凸部の内周側に所定の間隔をあけて設けられ、かつ前記突出部と軸線方向で同一方向に突出した凸部とが備えられ、
前記開口仮封止栓の開口嵌合凸部における先端部分には、前記環状凸部と前記凸部との間の部分に対して挿入可能な幅の押圧面が備えられていることを特徴とする請求項１に記載の開口仮封止栓付缶。
【発明の詳細な説明】
【０００１】
【発明の属する技術分野】
この発明は、容易に開蓋することができるとともに、缶体に封入された飲料等が飲みやすい形状または注ぎ出しやすい形状を有する開口仮封止栓付缶に関するものである。
【０００２】
【従来の技術】
イージーオープン缶として、スコア線によって缶蓋に区画形成された開口片を押圧し、その開口片をスコア線に沿って破断させるタイプの缶が知られている。これらの缶として、例えば特開平８−１６９４５４号公報に記載されたものと米国特許第４９７６３６８号明細書に記載されたものとがある。
【０００３】
特開平８−１６９４５４号公報に記載された発明は、蓋部材において環状移行部からスカートまたはエプロンが容器本体から離れる方向であってその中心軸に近づく方向に向かって伸び、その先端に頭部を介してトップが形成されている。そしてそのトップには下部側にスコア線によって囲まれた凹型押し下げタブが形成されている。そして缶蓋を開ける場合には、その凹型押し下げタブを指で押圧することによりスコア線を破断しつつ凹型押し下げタブを容器本体内部に押し下げて、開口片を吊り下げ状態にすることによって缶蓋を開ける。
【０００４】
また米国特許第４９７６３６８号明細書に記載された発明は、缶蓋上方へ突出した外周壁とその外周壁から内方へ平坦な環状パネルが延出し、更に環状パネルから下方に内周壁が垂下し、その内周壁の下端が折り畳まれて三重層になっており、その最下層に形成されたスコア線により開口片が区画されて形成されている。そしてこの開口片には凸タブが形成されており、缶蓋を開ける場合には、その凸タブを指で押し下げて開口片をスコア線の部分で破断し、開口片を缶蓋の内面側に吊り下げ状態にして缶蓋を開ける。
【０００５】
【発明が解決しようとする課題】
上述の二つの発明では、指で直接に開口片を押し下げ、スコア線部分を破断しつつ開口片を缶体内へ押し下げて缶蓋を開けるので、缶体に封入された飲料等が指に付着する可能性がある。特に炭酸含有飲料では、開蓋時に飲料が噴き出ることがあるので、飲料が指に付着する可能性が高い。また開蓋の際に開口片の縁部によって指を傷つける可能性があるとともに、消費者の指の大きさや長さ、押圧力の大小等の個人差によって、指で缶蓋を開けることが容易ではない場合が生じる可能性がある。なお小さな押圧力でも缶蓋を開けることができるように、スコア線を全周にわたって深く刻むことも考えられる。
【０００６】
しかしながら缶体の輸送中に受ける衝撃により、スコア線が破断する可能性があり、また内圧力が高くなった場合に、スコア線が破断して封入された飲料が噴き出る可能性があるから、スコア線を広範囲にわたって深くすることができない。また缶蓋を開けた際に、開口部を封鎖していた開口片は缶体内部に押し下げられてしまうので、いわゆるペットボトルのように蓋によって仮封止することができないのは、通常のイージーオープン缶と同様である。
【０００７】
この発明は上記の事情を背景としてなされたものであり、容易に缶蓋を開けることができると共に、開けられた缶蓋を仮封止することができ、しかも製品品質が高く、かつ生産性に優れる開口仮封止栓付缶を提供することを目的とするものである。
【０００８】
【課題を解決するための手段およびその作用】
上記の目的を達成するために、請求項１の発明は、缶胴の開口端に巻き締め固着されるフランジ部を外周部に備えた缶蓋であって、その軸線方向にこのフランジ部よりも外方へ突出した環状の突出部が形成されると共に、この突出部に、両端部が離隔した曲線状を成し、かつ押圧力によって破断する易破断線で区画されたほぼ円形の開口片が設けられた缶蓋を、前記フランジ部により前記缶胴の開口端に巻き締め固着し、更に前記突出部に対して開口仮封止栓が前記開口片ならびに突出部の先端外周縁を覆った状態で冠着された開口仮封止栓付缶において、前記突出部における先端面の周縁部が所定の幅に亘って平坦面に形成されると共に、その平坦面を成す周縁部の内周側に、前記突出部の突出方向とは反対方向に凹となる窪み部が形成され、更にその窪み部の内周側に、窪み部から連続した壁面を少なくとも三重に折り畳んでなる折り畳部が形成されると共に、その折り畳部における複数層のうち前記突出部の先端面から最も離れた層に前記易破断線が設けられ、また前記折り畳部の内周側で、かつ前記周縁部の面の高さよりも低い位置に前記開口片が設けられ、更に前記突出部の外周部に、傾斜した姿勢で円周方向に延び、かつ突出部における半径方向での突出量が両端部を除いてほぼ一定に設定された係合突起部が、円周方向で所定の間隔をあけて複数形成されると共に、前記開口仮封止栓には、前記各係合突起部を覆う状態で前記突出部に対して嵌合可能な第一円筒部と、この第一円筒部の内周面に形成され、かつ前記係合突起部に対して係合可能な第一仮止め突起部と、第一円筒部とは軸線方向での反対側に突出し、かつ前記各係合突起部を覆う状態で前記突出部に対して嵌合可能な第二円筒部と、この第二円筒部の内周面に、円周方向で所定の間隔をあけて複数設けられると共に、前記係合突起部の傾斜に対応して傾斜し、かつ係合突起部に対して係合可能な第二仮止め突起部と、第二円筒部の内周側において第二円筒部と軸線方向での同一方向に第二円筒部よりも突出し、かつ前記開口片を押圧して前記易破断線を破断させる開口嵌合凸部と、その開口嵌合凸部と前記第二円筒部との間に設けられると共に、開口嵌合凸部よりも小さくかつ第二円筒部よりも大きく突出し、外周面が先端部に向けて縮径するテーパの付けられた円筒状をなし、その基端部の外径が前記易破断線を破断させた後に形成される開口部の内径より大きく設定されており、前記第二仮止め突起部を前記係合突起部に係合させた状態で、前記開口部の内周縁に沿って密着し、かつ前記開口片を押し下げた状態に保持する弾性変形可能な厚さの環状突出部とが備えられていることを特徴とするものである。
【０００９】
従って請求項１の発明によれば、第一円筒部の第一仮止め突起部が缶蓋の係合突起部と係合する様に、開口仮封止栓を缶蓋に冠着させた状態で缶体を輸送・販売することができる。また開口仮封止栓を開口部突出缶蓋から取り外して反転させ、その開口嵌合凸部によって開口片を押圧することによって、易破断線が破断されると共に、両端部の離隔した部分をヒンジとして開口片が押し下げられて開口部が形成され、その結果、開蓋される。その場合、開口嵌合凸部の外周側に設けられ、かつ開口嵌合凸部よりも突出量の小さい環状突出部の先端と開口片とが当接するから、開口片がいわゆる半開き状態となることがない。また開口嵌合凸部がその外周側に位置する第二円筒部よりも大きく突出していて、その位置が明確であるから、開口部突出缶蓋に対する開口仮封止栓の位置合わせが容易である。なお易破断線の切断端面が、開口部に露出しないから、消費者が指を傷付けるなどのおそれがない。
【００１０】
更に開蓋後には、開口仮封止栓によって缶蓋の開口部を仮封止できる。具体的には、第二円筒部と突出部とを対向させた姿勢に開口仮封止栓を突出部に被せるとともに、第二円筒部の中心軸線を中心に回転させることによって、各第二仮止め突起部が各係合突起部にそれぞれ係合し、また環状突出部が開口部の内周縁に密着し、その結果、開口仮封止栓が突出部に対して強固に冠着される。特に突出部の外周に嵌合される部位であり、開口仮封止栓全体としての取付強度の一部を担う第二円筒部の突出量よりも、環状突出部の突出量が大きく設定されているために、環状突出部自体の弾性力が充分に大きく、従って開口部との接触部分における密封性に優れている。
【００１１】
なおこのように密封性を高めることによって、開口仮封止栓を缶蓋から外す方向に作用する圧力が高められるが、前述の通り、第二仮止め突起部と係合突起部とが全体として螺旋状に係合（ネジ係合）しているから、開口仮封止栓が確実に固定される。つまり炭酸含有飲料のように、缶体の内圧が高い飲料を対象とした場合に特に有効である。従って缶体を倒した場合のように飲み残した飲料または使い残した内容液をこぼしてしまうことを防ぐことができ、また仮封止した缶体を持ち運ぶことができる。
【００１２】
また請求項１の発明では、各係合突起部が突出部の先端面における外周縁を潰し成形することによって形成される構造ではなく、材料の余り（弛み）等に起因したシワやバリの発生を防止でき、缶蓋材料または缶蓋表面の保護被膜に対する成形ダメージを低減させることができる。つまり製品品質を向上させることができる。そのうえ突出部の先端面の周縁部が全周に亘って平坦面となっているので、見栄えが良好になる利点も生じる。
【００１３】
また更に請求項１の発明によれば、開口仮封止栓のいわゆる台座部となる突出部の先端面の周縁部が平坦面に形成されていて、缶蓋に対する開口仮封止栓の組み付け性が安定しているから、大きな荷重に耐えることができ、また開口仮封止栓が缶蓋から外れたり、あるいは開口片が不用意に押し下げられることがない。
【００１４】
また請求項１の発明によれば、例えば内容物として炭酸含有飲料を充填した場合に、開口片を外側に向けて膨らませる力が炭酸ガスによって作用するものの、前述の通り、開口片の高さが突出部における周縁部の高さよりも低く設定されており、そのうえ開口片の膨らむ方向と反対方向に凹となる窪み部によって開口片の変形が抑制されるから、突出部を超えて開口片が外側に膨れ出すおそれがない。従って請求項１の発明では、開口仮封止栓を冠着する前の状態の缶の開口部突出缶蓋側を下側に向けた姿勢での搬送が可能であり、また加熱された状態の飲料を開口部突出缶蓋の内面に対して直接に接触させることによる開口部突出缶蓋の殺菌が可能である。
【００１５】
請求項２に記載した発明は、請求項１に記載した発明に加えて、前記開口片には、前記易破断線と隣接し、かつ前記突出部と軸線方向で同一方向に突出したほぼ環状の環状凸部と、その環状凸部の内周側に所定の間隔をあけて設けられ、かつ前記突出部と軸線方向で同一方向に突出した凸部とが備えられ、前記開口仮封止栓の開口嵌合凸部における先端部分には、前記環状凸部と前記凸部との間の部分に対して挿入可能な幅の押圧面が備えられていることを特徴とするものである。
【００１６】
従って請求項２に記載した発明によれば、開口嵌合凸部によって開口片を押圧する際に、環状凸部と凸部との間に押圧面を嵌合させた状態とすることにより、開口部突出缶蓋に対する開口仮封止栓の位置決めが確実になり、それに伴って押圧荷重を良好に作用させることができるから、開蓋が容易になる。また、開口仮封止栓と開口部突出缶蓋との位置決めがなされることにより、開口仮封止栓ならびに開口片に変形が生じない。
【００１７】
【発明の実施の形態】
つぎにこの発明の具体例を図面を参照して説明する。図１はこの発明の一具体例を示すものであって、ここには開口部突出缶蓋３０と開口仮封止栓３１とが示されている。まず、開口部突出缶蓋３０について説明する。この開口部突出缶蓋３０は、アルミニウム合金などの金属製の平板材（図示せず）から形成されている。なおこの平板材の一方の表面には、合成樹脂からなる図示しない内面被膜（塗膜）が予め形成されている。この内面被膜は、保護塗料や樹脂フィルムから形成されている。
【００１８】
その塗料としては、熱硬化性および熱可塑性樹脂からなる任意の保護塗料、例えばフェノール−エポキシ塗料、アミノ−エポキシ塗料等の変性エポキシ塗料、塩化ビニル−酢酸ビニル共重合体、エポキシ−フェノール変性ビニル塗料等のビニルまたは変性ビニル塗料等の単独または２種以上の組み合わせが使用される。またその樹脂フィルムとしては、エチレン−テレフタレートを基本構成とするポリエステル樹脂、例えばポリエチレンテレフタレート（ＰＥＴ）、更にはポリエチレンテレフタレート−イソフタレート（ＰＥＴ／Ｉ）等のコポリマーでも適用できる。また樹脂フィルムが内面被膜に用いられる場合、その樹脂フィルムは、未延伸のものでも二軸延伸のものでもよい。
【００１９】
開口部突出缶蓋３０の外周側には、円筒状の缶胴３２の開口部に巻き締め固着して巻締部３３を形成する周知形状のフランジ部（図示せず）が形成されている。またその巻締部３３から開口部突出缶蓋３０の半径方向内側には、図１でのほぼ下方向に窪むＵ字形である環状溝３４が形成されている。
【００２０】
環状溝３４から缶胴３２の中心軸側に向かうと共に、図１での上方向に延出してスカート壁３５が形成されている。このスカート壁３５は、その断面が缶胴３２の軸線方向に突出するように弧を描くように延出している。またこのスカート壁３５の図１における上端部に続けて隆起部３６が形成されている。更にその隆起部３６の図１での上端部には、側壁面が缶胴の中心軸線とほぼ平行に形成された口頸部３７が形成されている。すなわち口頸部３７自体は、その長さ方向で外径が一定の円筒状を成している。更に口頸部３７の側面には、半径方向での外側へ突出している係合突起部３８が円周方向での等間隔で３個形成されている。
【００２１】
より具体的には、係合突起部３８は、図１での左上側から右下側に向けて傾斜した直線状の突条であり、半径方向での突出量が両端部を除いて一定となっている。つまり係合突起部３８の長さ方向での中間部は、口頸部３７の側面とほぼ平行となるように湾曲しており、これに対して係合突起部３８の両端部は、口頸部３７の側面に対して斜めに交差するように裾広がり状を成している。なお口頸部３７とスカート壁３５と隆起部３６とによって、突出部７０が形成されている。
【００２２】
他方、口頸部３７の上縁部に繋がる壁面は、内周側に向けて折り曲げられている。つまり口頸部３７の上縁部を塞ぐような面が備えられていて、その面は缶胴３２の中心軸線とほぼ直交した平坦面となっている。そしてこの部分が、環状平坦部１０として形成されている。従って環状平坦部１０が、この発明の突出部における先端面の周縁部に相当する。
【００２３】
更に環状平坦部１０の内縁部から繋がる壁面が、缶胴３２の中心軸線とほぼ平行に図１での下方に向けて折り曲げられていて、ここが内周壁１１として形成されている。すなわちこの内周壁１１は、口頸部３７の内周側に備えられた全体として環状を成す壁面である。更に内周壁１１の下縁部には、断面が図１での下方に向けて円弧状に湾曲した窪み部１２が形成されている。この窪み部１２は、周方向の全体に亘って形成されるものであり、全体として環状を成している。
【００２４】
更に窪み部１２の内周側の壁面は、軸線方向で図１での上側に僅かに突出すると共に、全体として円形を成すように三重層に折り畳まれていて、ここが折り畳部３９として形成されている。その折り畳部３９の図１での最上層４０は、平坦面を成していて、開口部突出缶蓋３０の中心軸線と直交した線に対して平行となっている。この最上層４０と窪み部１２の底部との缶胴３２の中心軸線に沿う方向での間隔は、一例として０．５０〜０．６０ｍｍ程度に設定されている。なお折り畳部３９の内径が、後述する開口片４４を押し下げた状態で現れる開口部４１の内径に相当する。
【００２５】
折り畳部３９における最下層４２には、一部を除いてスコア線４３が形成されており、換言すれば、スコア線４３は折り畳部３９に沿うように形成されており（折り畳部３９の内周側先端部または内周側折曲部よりも外側に形成される）、両端部の離隔した円形状を成している。なお開蓋性を良くするために、スコア線４３の一部を完全に切断しておいてもよい。ここで突出部７０における円周方向での係合突起部３８の配置は、スコア線４３の端部同士の間の部分に対して円周方向で対向した位置を避けた配置となっている。
【００２６】
他方、スコア線４３の内周側には、開口片４４が形成されている。この開口片４４は、折り畳部３９における最下層４２と一体に繋がる壁面からなり、スコア線４３によって区画されたほぼ円形のものである。従って開口片４４は、スコア線４３の端部同士の間の部分をヒンジとして突出部７０の内側に押し下げられる構造となっている。更に開口片４４および折り畳部３９の最上層４０のうちスコア線４３に隣接した部分には、プラスチゾル４５が塗布されている。
【００２７】
このプラスチゾル４５は、缶体の内圧の変化によってスコア線４３が破断することを防ぐと共に、スコア線４３を形成することによる塗膜の損傷を補修し、飲料の侵入による開口部突出缶蓋３０の腐食を防ぐためのものである。プラスチゾル４５を塗布することによって、スコア線４３の一部が完全に切断されていても、内容液の漏洩を防止できる。なおスコア線４３が、この発明の易破断線に相当する。
【００２８】
また開口片４４における折り畳部３９よりも内周側には、図１での上側に向けて突出した環状凸部４６が形成されている。具体的には、この環状凸部４６は、折り畳部３９の内周側から中心軸線に向けて図１での上方に傾斜した外周斜面部４７と、その外周斜面部４７の周縁部（上縁部）に連続し、かつ折り畳部３９の最上層４０よりも０．１０〜０．２０ｍｍ下方に配置された平坦な頂面部４８と、その頂面部４８に内周側の縁部に連続し、かつ同図での下方に傾斜した内周斜面部４９とを備えている。
【００２９】
更に開口片４４における環状凸部４６の内周側には、開口嵌合凹部５０が形成されている。より詳細には、開口嵌合凹部５０は、環状凸部４６における内周斜面部４９とその内周側に設けられた凸部５１における斜面とによって区画された平坦な溝部あるいは谷部であって、寸法ならびに形状が開口仮封止栓３１における後述の押圧面６４のそれと実質的に一致している。つまり内周斜面部４９の図１での下縁部と凸部５１の下縁部との間隔が、押圧面６４の内周縁と外周縁との間隔に一致している。
【００３０】
また開口嵌合凹部５０は、缶胴の中心軸線に対して直交した線と平行で、かつ折り畳部３９の最下層４２と同じ高さに設けられている。なお開口嵌合凹部５０の中心軸線は、開口部突出缶蓋３０の中心軸線とそれぞれ同軸上に配置されている。なお開口片４４のうち開口嵌合凹部５０の内周側に形成された凸部５１の図１での最上面は、平坦面を成していて、折り畳部３９の最上層４０よりも０．３０〜．４０ｍｍ上方位置に設けられている。この凸部５１の最上面の位置は、意図しない押し下げ力が開口片４４に加えられるのを防止するという観点から突出部７０よりも上方に突出しない位置であることが好ましく、製造時の積重ね性、使用材料の節減、開口操作性等を考慮して、環状平坦部１０の１．１０〜１．２０ｍｍ下方に設定されている。
【００３１】
つぎに開口仮封止栓３１について説明する。ポリエチレン樹脂やポリプロピレン樹脂等の合成樹脂で成形された開口仮封止栓３１は、図１に示すように、その外周側には図１の下方向に延出する第一円筒部５２が形成されている。この第一円筒部５２の下端内面には、半径方向での内側に突出した第一仮止め突起部５３が円周方向での等間隔で６個形成されている。各第一仮止め突起部５３は、直線状の突条であって、第一円筒部５２の中心軸線と直交した姿勢となっている。なお第一仮止め突起部５３が開口部突出缶蓋３０の係合突起部３８を弾性変形して乗り越え、その下側の口頸部３７に密着することによって、開口仮封止栓３１が開口部突出缶蓋３０に着脱可能に固定される。
【００３２】
第一円筒部５２の図１での上側には、第二円筒部５４が一体に形成されている。この第二円筒部５４は、第一円筒部５２と同径でかつ長さのほぼ等しい円筒状を成していて、第一円筒部５２と同軸上に配置されている。第二円筒部５４の内面には、第二仮止め突起部５５が円周方向での等間隔で３個設けられている。この第二仮止め突起部５５は、全体として各係合突起部３８と平行となるように（図１での左側から右側に向けて）傾斜した断面台形状の突条である。
【００３３】
第二円筒部５４と第一円筒部５２との内周面における中間部には、第一円筒部５２の半径方向での内側に向けて平板状のパネル部５６が延出している。このパネル部５６は、第一円筒部５２の中心軸線と直交した姿勢となっている。パネル部５６の内周側には、第一円筒部５２と軸線方向での同一方向に突出した第三円筒部１３が形成されている。第三円筒部１３の壁面は、第一円筒部５２の壁面と平行になっている。
【００３４】
また第三円筒部１３の内径は、開口部突出缶蓋３０における環状の折り畳み部３９よりも若干大径に設定されている。更に第三円筒部１３の長さは、第一円筒部５２の長さの１／３程度となっていて、これは開口部突出缶蓋３０における環状平坦部１０と折り畳み部３９の最上層４０との間隔より少し短くなっている。すなわち第一円筒部５２を係合突起部３８に係合させた状態で開口仮封止栓３１を開口部突出缶蓋３０に冠着させた場合に、その下端部が折り畳み部３９の最上層４０を過度に押圧せずに接触する長さとなっている。
【００３５】
他方、パネル部５６を挟んだ第三円筒部１３の反対側には、第四円筒部１４が形成されている。つまり第四円筒部１４は、第二円筒部５４と軸線方向での同一方向に突出した構造となっている。この第四円筒部１４における内外径およびパネル部５６からの突出量（長さ）は、第三円筒部１３の内外径および長さとほぼ同じに設定されいる。
【００３６】
第四円筒部１４の内周箇所には、第二円筒部５４と軸線方向での同一方向に突出した弾性変形可能な厚さの環状突出部５７が形成されている。より具体的には、環状突出部５７は、その内周面が第二円筒部５４とほぼ平行で、かつ外周面が先端部に向けて縮径するテーパの付けられた円筒状を成しており、その基端部の外径が、開口部突出缶蓋３０に形成される開口部４１の内径より大きく設定されている。環状突出部５７の先端部から長さ方向での中間部における肉厚が、開口嵌合凸部５８あるいは第二円筒部５４の肉厚よりも薄く設定されており、これに対して基端部における肉厚が、開口嵌合凸部５８あるいは第二円筒部５４の肉厚とほぼ同じに設定されている。
【００３７】
更に環状突出部５７の先端部は、第二円筒部５４の端面よりも軸線方向での若干外側に位置している。つまり環状突出部５７の先端部が第二円筒部５４よりも僅かに（本例では０．４５ｍｍ）突出している。これは開口部４１に後述の開口嵌合凸部５８を挿入させ、かつ第二仮止め突起部５５を係合突起部３８に係合させた状態で、環状突出部５７が先端部から開口部４１に進入し、開口部４１の内径よりも大径の基端部が進入して、その外周面と開口部４１の内周縁とが圧接触する状態で停止する長さである。
【００３８】
環状突出部５７の基端部の内周側には、第二円筒部５４と軸線方向での同一方向に突出した円筒状のテーパ部５９が形成されている。このテーパ部５９には、その上縁部に向けて縮径する方向のテーパが備えられている。またテーパ部５９の図１での上縁部には、側面が開口部突出缶蓋３０の中心軸線とほぼ平行に揃えられた円筒状の垂直部６０が形成されている。更に垂直部６０の上縁部には、テーパ部５９よりもテーパ角の大きな傾斜部６１が形成されていて、その傾斜部６１の上縁部には、長さの短い円筒状の押圧部６２が形成されている。
【００３９】
押圧部６２の内周側の基端部には、パネル部５６と平行な端板部６３が形成されている。つまりこの端板部６３によって押圧部６２の内周側の開口部分が閉じられた構成となっている。なお端板部６３の底面（図１での下面）が、第二円筒部５４よりも軸線方向での若干外側（本例では約０．７ｍｍ外側）に位置している。なおテーパ部５９と垂直部６０と傾斜部６１と押圧部６２と押圧面６４と端板部６３とによって開口嵌合凸部５８が構成されている。また押圧部６２の端面が、押圧面６４として形成されている。この押圧面６４は、第二円筒部５４の端面よりも軸線方向での外側に位置している。すなわち第二円筒部５４の端面から開口嵌合凸部５８が３．０ｍｍ突出した構造となっていて、その突出量としては、例えば開口嵌合凸部５８の全長（テーパ部５９との境界箇所から押圧面６４までの間隔）の１／２程度に設定されている。
【００４０】
つぎに上記のように構成されたこの発明の作用について説明する。缶体は、図１に示す状態、すなわち開口部突出缶蓋３０の係合突起部３８に対して開口仮封止栓３１の第一仮止め突起部５３を係合させた状態で保管あるいは販売される。その場合、開口部突出缶蓋３０のうち開口片４４を避けた部分に対して第三円筒部１３の端面が当接されていて、開口仮封止栓３１における第一仮止め突起部５３よりも内周に位置する部分が第三円筒部１３と折り畳み部３９の最上層４０とによって支持された構造となっているから、例えばパレット積みされた状態でも開口仮封止栓３１が過度には変形せず、従って、開口部突出缶蓋３０から外れたり、開口片４４を押し下げて開蓋させてしまうことが未然に防止される。
【００４１】
なお開口仮封止栓３１が開口部突出缶蓋３０から脱落しないように、また店頭陳列中に開口仮封止栓３１に埃が付着したり、いたずらされないように、開口仮封止栓３１と開口部突出缶蓋３０とを透明または不透明な熱収縮性のプラスチックフィルム等によってシュリンク包装してもよい。消費者は、缶体に封入された飲料を飲むために、まず開口仮封止栓３１を開口部突出缶蓋３０から取り外す。その際、それらがプラスチックフィルム等によってシュリンク包装されている場合には、最初にフィルムを除去する。
【００４２】
更に開口仮封止栓３１をその押圧面６４が開口部突出缶蓋３０の開口片４４に対向するように保持し、その後、図３に示すように、開口仮封止栓３１の押圧面６４を開口部突出缶蓋３０の開口嵌合凹部５０に嵌め込むように当てがい、更にその状態から押圧する。その場合、開口部突出缶蓋３０に対して当接すべき部位である開口嵌合凸部５８が、第二円筒部５４よりも大きく突出しているために、開口仮封止栓３１と開口部突出缶蓋３０との位置合わせが容易である。そのうえ、開口片４４の表面において押圧面６４と一致する形状の開口嵌合凹部５０がその内周側および外周側に全体として環状の斜面を備えた構造であることから、開口仮封止栓３１を開口部突出缶蓋３０における開口片４４に対して簡単かつ確実にセンタリングさせることができる。
【００４３】
すなわち押圧面６４と開口嵌合凹部５０との相対位置が半径方向で若干ズレていても、押圧面６４あるいは押圧部６２の内周縁および外周縁が、開口嵌合凹部５０を挟んで対向した環状凸部４６の内周斜面部４９と凸部５１の斜面に沿って滑り落ちるようにして開口嵌合凹部５０まで導かれ、その結果、開口仮封止栓３１が、その中心軸線を開口片４４の中心軸線に対して揃えた状態に位置決めされる。
【００４４】
従って開口片４４に対して開口仮封止栓３１の押圧荷重が良好に作用し、そのためスコア線４３の形成されていない部分をヒンジとして開口片４４が開口部突出缶蓋３０の内側に押し下げられて、開口部４１が次第に現れる。その場合、開口に伴う開口片４４の傾斜が進行するに伴って押圧面６４から開口嵌合凹部５０が次第に離れるものの、開口嵌合凸部５８よりも突出量の小さい環状突出部５７が環状凸部４６に対して当接し、そのまま開口片４４が押し下げられる。その結果、開口部突出缶蓋３０がいわゆる半開き状態とはならず、ほほ完全に開口した状態までスムースに開口する。なお前述の通り、押圧面６４を位置決めした状態で押圧力を生じさせるから、開口片４４および開口仮封止栓３１には変形が生じない。
【００４５】
開口部４１が形成されることにより、消費者は開口部４１に嵌入した開口仮封止栓３１を開口部突出缶蓋３０から引き離し、その後缶体を傾けて開口部４１を伝わって流下する飲料を飲むことができる。その際に、突出部７０の先端外周部分のうち消費者が実際に下唇を接触させる部位、すなわち前記ヒンジに対して円周方向で対向した部分には係合突起部３８が形成されていないから、消費者は違和感なく飲料を飲むことができる。またスコア線４３に沿って開口させた状態での切断面が開口部４１よりも外周側に現れ、そのうえ開口部４１の内周縁が曲面を成しているから、消費者が指や唇を切るなどのおそれがない。
【００４６】
一方、消費者は開口仮封止栓３１を用いて、開口部突出缶蓋３０の開口部４１を仮封止することができる。この場合には、開口嵌合凸部５８を開口部４１に対向させた姿勢に開口仮封止栓３１を保持すると共に、開口部突出缶蓋３０の開口部４１の内周部に対して環状突出部５７が当接するまで開口仮封止栓３１を開口部４１に押し込み、更に開口部突出缶蓋３０の環状平坦部１０に対してパネル部５６が当接するまで中心軸線を中心に回転させて、各第二仮止め突起部５５を各係合突起部３８に対してそれぞれ係合させる。
【００４７】
すると外周面がテーパ面となっており、かつ先端部の直径が開口部４１の径よりも小径となっている環状突出部５７が、開口部４１の内側に進入すると共に、その環状突出部５７における基端部の外周面が開口部４１の内縁部の全周に亘って弾性的に密着する（圧接触する）。また開口部４１における環状突出部５７よりも内周側の空間に、開口仮封止栓３１が嵌合する。環状突出部５７が、各第二仮止め突起部５５を各係合突起部３８に対して係合させた状態で第二円筒部５４の端面よりも図４での下側に突出する長さを有していて、それ自体の弾性力が高いために、折り畳み部３９の内周縁に対する密着性に優れている。その結果、開口部突出缶蓋３０が開口仮封止栓３１によって密封された状態に仮封止される。
【００４８】
特に第二仮止め突起部５５と係合突起部３８とがネジとして機能しているから、缶内圧の高い炭酸含有飲料が対象であっても、開口仮封止栓３１を開口部突出缶蓋３０に対して強固に固定することができる。更に第四円筒部１４の平坦な端面が、折り畳み部３９の平坦な最上層４０に対して円周方向に亘って密着し、また平坦なパネル部５６が、環状平坦部１０に対して円周方向に亘って密着しているから、開口仮封止栓３１の取り付け状態にいわゆるガタの生じるおそれがない。
【００４９】
ところでこの種の缶体では、その内容物として炭酸含有飲料を充填した場合に、開口部突出缶蓋３０のうちの開口片４４を外側に向けて膨らませる力が炭酸ガスによって作用する。しかしながら上記構造の缶体では、開口片４４のうち開口部突出缶蓋３０の中心軸線に沿う方向に最も大きく突出した凸部５１が、環状平坦部１０よりも１．１０〜１．２０ｍｍほど低い位置に設けられていることに加えて、開口片４４の膨らむ方向と反対方向に凹となる窪み部１２によって開口片４４の変形が抑制されるから、開口片４４が環状平坦部１０を超えて外側に膨れ出すことを未然に防止できる。またそれに伴って上記構造の缶体では、倒置姿勢（開口部突出缶蓋３０を下側に向けた姿勢）での搬送を何等不都合なく行なうことができ、また加熱状態の飲料を開口部突出缶蓋３０の内面に対して直接に接触させての開口部突出缶蓋３０の殺菌を行なうことができる利点もある。
【００５０】
また上記具体例の開口仮封止栓３１によれば、開口嵌合凸部５８が第二円筒部５４の開口端から突出した構造であるから、開口仮封止栓３１の表裏の判別が容易であり、機械あるいは手作業によって開口部突出缶蓋３０の上に開口仮封止栓３１を載せる前の上下位置が判別し易く、その結果、開口仮封止栓３１を開口部突出缶蓋３０に冠着させる際の作業性が良好になる。
【００５１】
なお上記の具体例では、易破断線としてスコア線を挙げたが、易破断線は、要は開口仮封止栓によって開口片を押圧した場合に簡単に破断され、かつ缶体の運搬・保管時等において内容液の漏洩が生じないものであればよいのであって、例えば開口部突出缶蓋における壁面の厚さ方向に貫通した切断線をプラスチゾル等の密封材または接着剤で封鎖し、補強したものであってもよい。
【００５２】
【発明の効果】
以上説明したように、請求項１に記載した発明によれば、突出部における先端面の周縁部が平坦面を成し、その周縁部の内周側に突出部の突出方向とは反対方向に凹となる窪み部が形成され、更にその窪み部の内周側に、少なくとも三重の折り畳部が形成されると共に、その折り畳部における最下層に易破断線が設けられ、また周縁部の面の高さよりも低い位置に開口片が設けられていて、例えば炭酸ガス含有飲料を充填した場合において、開口片が膨れて突出部の先端面から突出してしまうことを確実に防止することができる。また易破断線の切断端面が開口部の内周縁から露出しないので、消費者が指や唇を切らない利点も生じる。
【００５３】
更に請求項１の発明によれば、第二円筒部の内周側において第二円筒部と軸線方向の同一方向に第二円筒部よりも突出する開口嵌合凸部と、その開口嵌合凸部と第二円筒部との間に設けられると共に、開口嵌合凸部よりも小さく、かつ第二円筒部よりも突出し、第二仮止め突起部を係合突起部に係合させた状態で開口部の内周縁に沿って密着し、かつ開口片を押し下げた状態に保持する環状突出部とが開口仮封止栓に備えられていて、開口嵌合凸部の位置が明確であるから、開口部突出缶蓋と開口仮封止栓との位置合わせを容易に行なうことができる。また環状突出部自体の弾性力が大きいために、特に開口部との接触部分における密封性に優れる利点がある。
【００５４】
また請求項２の発明では、前記開口片に、突出部と同一方向に突出した環状凸部と、その内周側に設けられ、かつ突出部と同一方向に突出した凸部とが備えられると共に、開口嵌合凸部における先端部分に、環状凸部と凸部との間の部分に挿入可能な幅の押圧面が備えられているために、開口部突出缶蓋に対する開口仮封止栓の位置決めが確実化し、それに伴って押圧荷重を良好に作用させることができるから、開蓋が容易になる。また、開口仮封止栓ならびに開口片の変形を未然に防止することができる利点もある。
【図面の簡単な説明】
【図１】  この発明の開口仮封止栓付缶の開口部突出缶蓋と開口仮封止栓との具体例を示す断面図である。
【図２】  開蓋前のスコア線の近傍を示す部分断面図である。
【図３】  開口片に対して開口仮封止栓の開口嵌合凸部を当接させた状態を示す断面図である。
【図４】  開蓋後に開口部を開口仮封止栓により仮封止した状態を示す断面図である。
【符号の説明】
１０…環状平坦部、  １２…窪み部、  １３…第三円筒部、  １４…第四円筒部、  ３０…開口部突出缶蓋、  ３１…開口仮封止栓、  ３２…缶胴、  ３８…係合突起部、  ３９…折り畳部、  ４０…最上層、  ４１…開口部、  ４２…最下層、  ４３…スコア線、  ４４…開口片、  ５２…第一円筒部、  ５４…第二円筒部、  ５５…第二仮止め突起部、  ５７…環状突出部、  ５８…開口嵌合凸部、  ７０…突出部。
【図１】
0003908417.tif 000002
【図２】
0003908417.tif 000003
【図３】
0003908417.tif 000004
【図４】
0003908417.tif 000005